【手続補正書】
【提出日】平成19年4月17日(2007.4.17)
【手続補正１】
【補正対象書類名】特許請求の範囲
【補正対象項目名】全文
【補正方法】変更
【補正の内容】
【特許請求の範囲】
【請求項１】
離散時間サンプルストリームを供給する回路であって、
制御信号により制御されて信号の流れを調整するスイッチと、
該スイッチに接続され、該スイッチが信号の流れを許す時にその信号を積分するヒストリキャパシタと、
信号を積分するために前記ヒストリキャパシタに並列接続され、蓄積された信号を読み出してサンプルを生成するようにした少なくとも２つの回転キャパシタと、
前記回転キャパシタに接続された帰還信号線と、
を含む回路。
【請求項２】
請求項１に記載の回路であって、ヒストリキャパシタと回転キャパシタの１つが任意の所与の時間に信号を積分する前記回路。
【請求項３】
請求項１または２に記載の回路であって、各回転キャパシタはＭ個の回転キャパシタのバンクであり、Ｍは整数である前記回路。
【請求項４】
請求項１または２に記載の回路であって、各回転キャパシタはＣRの容量値を有し、ヒストリキャパシタはＣHの容量値を有し、ＣRの容量値はＣHの容量値よりも遥かに小さい前記回路。
【請求項５】
請求項４に記載の回路であって、各回転キャパシタは制御信号に接続された別々のスイッチにより制御される前記回路。
【請求項６】
信号入力と、
該信号入力に接続され、周波数変換を行いかつ離散時間電荷領域内で動作するサンプリング回路であって、信号入力から供給される、電圧から電流に変換された信号を離散時間サンプルストリーム（ＤＴＳＳ）に変換する回路を含むサンプリング回路と、
該サンプリング回路に接続され、離散時間サンプルストリームをフィルタリングする回路を含む離散時間処理回路と、
該離散時間処理回路に接続され、フィルタリングされた離散時間サンプルストリームをデジタル化する回路を含む量子化器と、
該量子化器と前記サンプリング回路に接続された帰還信号線と、
を含むシグマ−デルタミクサ。
【請求項７】
信号入力と、
該信号入力に接続され、離散時間電荷領域内で動作するサンプリング回路であって、前記信号入力から供給された信号を離散時間サンプルストリーム（ＤＴＳＳ）に変換する回路を含む前記サンプリング回路と、
該サンプリング回路に接続された離散時間処理回路であって、離散時間サンプルストリームをフィルタリングすると共に該離散時間サンプルストリームを利得制御する回路を含む前記離散時間処理回路と、
該離散時間処理回路に接続された量子化器であって、フィルタリングされた離散時間サンプルストリームをデジタル化する回路を含む前記量子化器と、
該量子化器とサンプリング回路に接続された帰還信号線と、
を含むシグマ−デルタミクサ。
【請求項８】
請求項６または７に記載のシグマ−デルタミクサであって、前記量子化器はアナログ/デジタル変換器である、前記シグマ−デルタミクサ。
【請求項９】
信号入力と、
該信号入力に接続され、離散時間電荷領域内で動作するサンプリング回路であって、前記信号入力から供給された信号を離散時間サンプルストリーム（ＤＴＳＳ）に変換する回路を含む前記サンプリング回路と、
該サンプリング回路に接続された離散時間アナログ信号処理回路（ＤＴＡＳＰ）であって、前記ＤＴＳＳをフィルタリングする回路を含む前記ＤＴＡＳＰと、
前記ＤＴＡＳＰに接続され該ＤＴＡＳＰによって生成された出力をデジタル値に変換する量子化器と、
該量子化器と前記サンプリング回路に接続され、前記ＤＴＡＳＰによって出力された情報を前記サンプリング回路に搬送する帰還信号線と、
前記量子化器の出力に接続され、該量子化器の出力をアナログ信号に変換するデジタル／アナログコンバータ（ＤＡＣ）と、
該ＤＡＣに接続され、前記帰還信号線に接続された出力を有する帰還機構であって、前記ＤＡＣによって生成されたアナログ信号を出力信号と結合する帰還信号に変換する回路を含む前記帰還機構と、
を含むシグマ−デルタミクサ。
【請求項１０】
請求項１に記載の回路において、前記信号は前記回転キャパシタに電化として蓄積される、前記回路。
【請求項１１】
請求項１に記載の回路において、前記回転キャパシタは前記帰還回路線に搬送された帰還情報を積分する、前記回路。
【請求項１２】
請求項７に記載のシグマーデルタミキサにおいて、入力信号が連続時間信号である間前記帰還信号はその入力信号と結合される、前記シグマーデルタミキサ。
【請求項１３】
請求項７に記載のシグマーデルタミキサにおいて、入力信号がＤＴＳＳへ変換された後に前記帰還信号はその入力信号と結合される、前記シグマーデルタミキサ。
【請求項１４】
請求項７に記載のシグマーデルタミキサにおいて、前記量子化器はｋ-ビット量子化器であって、ｋは整数である、前記シグマーデルタミキサ。
【請求項１５】
請求項７に記載のシグマーデルタミキサにおいて、前記サンプリング回路は、
制御信号により制御されて信号の流れを調整する第１のスイッチと、
該第１のスイッチに接続され、該第１のスイッチが信号の流れを許す時その信号を積分するヒストリキャパシタと、
前記第１のスイッチに接続すると共に前記ヒストリキャパシタに並列に接続して信号を積分するようにした少なくとも２つの回転キャパシタであって、該回転キャパシタに蓄積された信号が読み出されてサンプルを生成するようにし、かつ、各回転キャパシタは当該回転キャパシタへの信号の流れを調整するスイッチに結合され、各回転キャパシタを調整するスイッチは異なる制御信号にて制御されるようにした、前記少なくとも２つの回転キャパシタと、
を備えた、前記シグマーデルタミキサ。
【請求項１６】
請求項９に記載のシグマーデルタミキサにおいて、前記ＤＴＡＳＰは、
前記サンプリング回路の出力に接続され、該サンプリング回路の出力の流れを調整するスイッチと、
該スイッチに接続され、前記サンプリング回路の出力を積分するバッファキャパシタと、
該バッファキャパシタに接続された正の入力と該バッファキャパシタの出力に接続された負の入力とを有し入力信号を維持するようにしたバッファと、
を備えた、前記シグマーデルタミキサ。
【請求項１７】
請求項９に記載のシグマーデルタミキサにおいて、前記サンプリング回路は少なくとも２つのサンプリングキャパシタを備え、前記帰還信号線は、
前記ＤＡＣに結合され該ＤＡＣによって生成された電流を積分して電荷を蓄積する前置帰還キャパシタと、
前記おのおののサンプリングキャパシタに対するものであって、前記前置帰還キャパシタに接続されているスイッチに接続され、該スイッチが閉じている時前記前置帰還キャパシタ上の電荷を共有するようにした少なくとも２つの帰還キャパシタと、
を備えた、前記シグマーデルタミキサ。
【請求項１８】
請求項７に記載のシグマーデルタミキサにおいて、前記帰還機構は、
第１のスイッチに接続され、前記ＤＡＣによって生成された電流を積分するダミーキャパシタと、
前記ＤＡＣの出力に接続された入力と前記サンプリング回路に接続された出力とを有し、前記ＤＡＣによって生成された電流を調整する第２のスイッチと、
前記際１のスイッチに接続され、該第１のスイッチを制御するのに用いられる第１の信号を搬送する第１の信号線と、
前記際２のスイッチに接続され、該第２のスイッチを制御するのに用いられる第２の信号線と、
を備えた、前記シグマーデルタミキサ。
【請求項１９】
請求項７に記載のシグマーデルタミキサにおいて、更に、前記サンプリング回路に接続され該サンプリング回路用の制御信号を発生する回路を含むデジタル制御装置（ＤＣＵ）を含む、前記シグマーデルタミキサ。
【請求項２０】
請求項９に記載のシグマーデルタミキサにおいて、前記ＤＴＡＳＰは、更に、前記ＤＴＳＳ用の利得制御を与える回路を含む、前記シグマーデルタミキサ。
【請求項２１】
請求項９に記載のシグマーデルタミキサにおいて、更に、
前記サンプリング回路に接続された入力を有し、前記ＤＴＳＳをフィルタリングする回路を含んだ第２のＤＴＡＳＰと、
該第２のＤＴＡＳＰの出力と前記ＤＴＡＳＰの入力とに接続され、前記第２のＤＴＡＳＰの出力を積分する第２のヒストリキャパシタと、
前記ＤＡＣに接続され他入力と前記第２のヒストリキャパシタに接続された出力とを有し、前記ＤＡＣによって生成された電流を、前記第２のＤＴＡＳＰの出力と結合される帰還信号に変換する第２の帰還機構と、
を備えた、前記シグマーデルタミキサ。
【請求項２２】
請求項６に記載のシグマーデルタミキサにおいて、前記離散時間処理回路と前記量子化器は離散時間処理装置を含む、前記シグマーデルタミキサ。
【請求項２３】
請求項９に記載のシグマーデルタミキサにおいて、前記ＤＴＡＳＰと前記量子化器針三時間処理装置を含む、前記シグマーデルタミキサ。
【請求項２４】
信号入力と、
該信号入力に接続され周波数変換を行うサンプリング回路であって、前記信号入力から供給された信号を離散時間サンプルストリーム（ＤＴＳＳ）に変換する回路を含む前記サンプリング回路と、
該サンプリング回路に接続された離散時間処理回路であって、離散時間サンプルストリームをフィルタリングする回路を含む前記離散時間処理回路と、
該離散時間処理回路に接続された量子化器であって、フィルタリングされた離散時間サンプルストリームをデジタル化する回路を含む前記量子化器と、
該量子化器とサンプリング回路に接続された帰還信号線と、
を含むシグマ−デルタミクサ。